(57)【要約】【課題】低騒音の送風機を得ることを目的とする。【解決手段】送風機１は、ファン４と、ファン４の外周を囲うベルマウス６とを備える。ベルマウス６は、内径が最小となる径最小部６ａから気体を吸い込む吸い込み側へ向かって内径が回転軸８方向に拡大する第１拡大部６ｂを備える。第１拡大部６ｂは、回転軸８を含む任意の平面で切断した断面において、ベルマウス６の内側が凸状に湾曲した曲線に内径側が形成される。また、ベルマウス６は、第１拡大部６ｂから吸い込み側へ向かって内径が回転軸方向に拡大する第２拡大部６ｃを備える。第２拡大部６ｃは、前記断面において、ベルマウス６の内側が凹状に湾曲した曲線に内径側が形成される。【選択図】図２
2011185236.tif 000002
【特許請求の範囲】
【請求項１】
回転軸に設けられたボス部と、前記ボス部の周囲に設けられた複数の翼とを有するプロペラファンと、
前記プロペラファンの外周を囲うベルマウスとを備え、
前記ベルマウスは、
内径が最小となる径最小部から気体を吸い込む吸い込み側へ向かって内径が回転軸方向に拡大する第１拡大部であって、前記回転軸を含む任意の平面で切断した断面において、ベルマウスの外側に曲率半径の中心がありベルマウスの内側が凸状に湾曲した第１曲線に内径側が形成された第１拡大部と、
前記第１拡大部から前記吸い込み側へ向かって内径が回転軸方向に拡大する第２拡大部であって、前記断面において、ベルマウスの内側に曲率半径の中心がありベルマウスの内側が凹状に湾曲した第２曲線に内径側が形成された第２拡大部とを有する
ことを特徴とする送風機。
【請求項２】
前記プロペラファンが有する前記複数の翼の各翼は、前縁と後縁とを繋ぐ外周側の縁である外周縁の二等分点であって、前記回転軸を含む平面に回転投影された場合における外周縁の二等分点が、前記平面によって切断されると出現する前記第１拡大部から前記第２拡大部への移行点よりも前記吸い込み側に位置する
ことを特徴とする請求項１に記載の送風機。
【請求項３】
前記プロペラファンが有する前記複数の翼の各翼は、その翼と前記ボス部との接合部である接合縁の二等分点であって、前記回転軸を含む平面に回転投影された場合における接合縁の二等分点が、前記平面によって切断されると出現する前記第１拡大部から前記第２拡大部への移行点よりも前記吸い込み側に位置する
ことを特徴とする請求項１又は２に記載の送風機。
【請求項４】
前記プロペラファンが有する前記複数の翼の各翼は、その翼と前記ボス部との接合部である接合縁の二等分点であって、前記回転軸を含む平面に回転投影された場合における接合縁の二等分点が、前縁と後縁とを繋ぐ外周側の縁である外周縁の二等分点であって、前記回転軸を含む平面に回転投影された場合における外周縁の二等分点よりも、前記吸い込み側に位置する
ことを特徴とする請求項１から３までのいずれかに記載の送風機。
【請求項５】
前記プロペラファンが有する前記複数の翼の各翼は、前記回転軸を中心軸とする円筒により、その翼を切断してできる翼断面が回転方向へ凹となる反りを有する
ことを特徴とする請求項１から４までのいずれかに記載の送風機。
【請求項６】
前記プロペラファンが有する前記複数の翼の各翼は、前縁と後縁とを繋ぐ外周側の縁である外周縁の二等分点であって、前記回転軸方向の所定側から見た場合における外周縁の二等分点と前記回転軸とを結ぶ線が、その翼と前記ボス部との接合部である接合縁の二等分点であって、前記回転軸方向の前記所定側から見た場合における二等分点と前記回転軸とを結ぶ線よりも、回転方向前方に位置する
ことを特徴とする請求項１から５までのいずれかに記載の送風機。
【請求項７】
前記第２拡大部は、前記吸い込み側寄りほど前記第２曲線の曲率半径が大きい
ことを特徴とする請求項１から６までのいずれかに記載の送風機。
【請求項８】
前記第２拡大部は、前記第１拡大部に連続した部分が前記第２曲線で形成され、前記吸い込み側寄りの所定の範囲は回転軸方向の断面が直線状に形成された
ことを特徴とする請求項７に記載の送風機。
【請求項９】
圧縮機と、第１熱交換器と、膨張機構と、第２熱交換器とが配管により順次接続された冷媒回路と、前記冷媒回路に接続された前記第１熱交換器へ風を送る送風機とを備えるヒートポンプ装置であり、
前記送風機は、
回転軸に設けられたボス部と、前記ボス部の周囲に設けられた複数の翼とを有するプロペラファンと、
前記プロペラファンの外周を囲うベルマウスとを備え、
前記ベルマウスは、
内径が最小となる径最小部から気体を吸い込む吸い込み側へ向かって内径が回転軸方向に拡大する第１拡大部であって、前記回転軸を含む任意の平面で切断した断面において、ベルマウスの外側に曲率半径の中心がありベルマウスの内側が凸状に湾曲した第１曲線に内径側が形成された第１拡大部と、
前記第１拡大部から前記吸い込み側へ向かって内径が回転軸方向に拡大する第２拡大部であって、前記断面において、ベルマウスの内側に曲率半径の中心がありベルマウスの内側が凹状に湾曲した第２曲線に内径側が形成された第２拡大部とを有する
ことを特徴とするヒートポンプ装置。
【発明の詳細な説明】
【技術分野】
【０００１】
この発明は、ベルマウスとプロペラファンとを備える送風機、及び、送風機を備えるヒートポンプ装置に関する。
【背景技術】
【０００２】
従来からプロペラファンを備える送風機の騒音低減を目的とした工夫は数多く提案されている。
特許文献１には、吹出し風速分布の均一化、つまり最大風速の低減による低騒音化をするために、翼を後傾翼とすることについての記載がある。
【０００３】
翼形状に工夫がされていても、プロペラファンに流入する気流の乱れが大きい場合には翼形状の工夫による効果が十分に得られない。そこで、空力騒音を低減するためには送風機に流入する気流の乱れを極力小さくすることが必要である。
特許文献２には、ベルマウス内径が最小となる直管部から気流の上流側へ湾曲させてベルマウスの径を拡大し、さらにその端部から径方向外側へ直線部を設けたベルマウスについての記載がある。このベルマウスでは、直線部の口縁部で一旦気流に剥離を生じたとしても、気流が直線部に沿って流れる間に次第にその内面に再付着し、その後は滑らかな流れでベルマウス内に吸い込まれるようにして、送風音を低減するようにしている。
また、特許文献３には、ベルマウスの吸込側壁部を、吸込口の内周面から径方向外方に向かって略半円状に湾曲する断面形状としたベルマウスについての記載がある。このベルマウスでは、吸込口部分での気体の剥離を抑制して、ファン運転騒音を低減するようにしている。
【先行技術文献】
【特許文献】
【０００４】
【特許文献１】特開平６−２２９３９８号公報
【特許文献２】特開２００３−１８４７９７号公報
【特許文献３】特開平４−３７０３９９号公報
【発明の概要】
【発明が解決しようとする課題】
【０００５】
特許文献１に記載された送風機では、プロペラファンへ気体が流入するための風路の工夫がなされていない。そのため、プロペラファンの昇圧性能、低騒音性能を十分に得ることができない。
【０００６】
また、特許文献２，３に記載された送風機では、ベルマウス上の気体の剥離等を低減するものであり、プロペラファンが備える翼の外周縁からプロペラファンの回転領域へ流入する気体の変動を抑制するものではない。しかし、空気調和機の室外機等の送風機が設置される実際の条件下では、通常、プロペラファンに流入する気体は常に変動し、乱れが大きい。そのため、送風機として低騒音性能を十分に得ることができない。
【０００７】
この発明は、低騒音の送風機を得ることを目的とする。
【課題を解決するための手段】
【０００８】
この発明に係る送風機は、
回転軸に設けられたボス部と、前記ボス部の周囲に設けられた複数の翼とを有するプロペラファンと、
前記プロペラファンの外周を囲うベルマウスとを備え、
前記ベルマウスは、
内径が最小となる径最小部から気体を吸い込む吸い込み側へ向かって内径が回転軸方向に拡大する第１拡大部であって、前記回転軸を含む任意の平面で切断した断面において、ベルマウスの外側に曲率半径の中心がありベルマウスの内側が凸状に湾曲した第１曲線に内径側が形成された第１拡大部と、
前記第１拡大部から前記吸い込み側へ向かって内径が回転軸方向に拡大する第２拡大部であって、前記断面において、ベルマウスの内側に曲率半径の中心がありベルマウスの内側が凹状に湾曲した第２曲線に内径側が形成された第２拡大部とを有する
ことを特徴とする。
【発明の効果】
【０００９】
この発明に係る送風機は、ベルマウスが第１拡大部と第２拡大部とを有するため、吸い込み側におけるプロペラファン周囲のスペースを広くとることができる。このため、プロペラファンへ流入する気流の乱れを抑制することができ、騒音を抑えることができる。
【図面の簡単な説明】
【００１０】
【図１】実施の形態１に係る送風機を吸い込み側の空間から見た正面図。
【図２】図１のＡ−Ａ’断面図。
【図３】図１のＢ−Ｂ’断面を平面に展開した図。
【図４】図１のＣ−Ｃ’断面を平面に展開し、周囲の空気の流れを模式的に示した説明図。
【図５】後傾翼と前傾翼の特徴の違いを説明するための比較図。
【図６】図２に従来のベルマウスの形状を付加し比較して示す説明図。
【発明を実施するための形態】
【００１１】
実施の形態１．
図１は、実施の形態１に係る送風機１を吸い込み側から見た正面図である。
実施の形態１に係る送風機１は、ファン４（プロペラファン）、ファンモータ５、ベルマウス６を備える。なお、図１では、ファンモータ５を省略している。ファン４は、ボス部２（ハブ）の周囲に複数の翼３を有するプロペラ型のファンである。ファンモータ５は、ファン４を駆動するモータである。ベルマウス６は、ファン４の外周を囲み風路を形成する。
また、図１における矢印７はファン４の回転方向を示す。
【００１２】
まず、各翼３の形状を説明する。
各翼３は、回転方向に向いた前縁３ａと、前縁と対向する後縁３ｂと、ハブとの接合縁３ｃと、接合縁３ｃと対向し前縁３ａと後縁３ｂとを繋ぐ外周側の縁である外周縁３ｄと、前縁３ａ、後縁３ｂ、接合縁３ｃ、及び外周縁３ｄで囲まれ３次元的にねじれた曲面から形成される。各翼３の曲面について、回転方向に向いた面を圧力面３ｅと呼び、圧力面３ｅの裏面を負圧面３ｆと呼ぶ。なお、図１では、負圧面３ｆ側が見えており、圧力面３ｅが見えない状態である。
図１の点Ｐｆ１は、正面図における接合縁３ｃの二等分点である。また、Ｐｆ２は、正面図における外周縁３ｄの二等分点である。各翼３は、回転軸８と接合縁３ｃの二等分点Ｐｆ１とを結ぶ直線Ｌｆ１よりも、回転軸８と外周縁３ｄの二等分点Ｐｆ２とを結ぶ直線Ｌｆ２が回転方向前方にあるいわゆる前進翼である。
【００１３】
図２は、図１のＡ−Ａ’断面図である。なお、図２において、翼３については、Ａ−Ａ’断面へ回転投影した状態を示す。つまり、図２に示す前縁３ａ、後縁３ｂ、接合縁３ｃ、及び外周縁３ｄは、Ａ−Ａ’断面へ投影した回転軌跡を表す。
ファン４はファンモータ５側（図２の上方）の空間から気体を吸い込み、ファンモータ５とは逆側（図２の下方）の空間へ気体を吐き出す。そこで、回転軸８に沿った方向において、吸い込み側を上方、吐き出し側を下方と呼ぶ。
図２の点Ｐｆ３は、投影した接合縁３ｃの二等分点である。直線Ｌｆ３は、二等分点Ｐｆ３を通り、回転軸８に垂直な線である。点Ｐｆ４は、投影した外周縁３ｄの二等分点である。直線Ｌｆ４は、二等分点Ｐｆ４を通り、回転軸８に垂直な線である。各翼３は、接合縁３ｃの二等分点Ｐｆ３よりも外周縁３ｄの二等分点Ｐｆ４が下方にあるいわゆる後傾翼である。
【００１４】
図３は、図１のＢ−Ｂ’断面を平面に展開した図である。なお、Ｂ−Ｂ’は、回転軸を中心として前縁３ａ、後縁３ｂと交差する円弧である。
図３の直線Ｌｆ５は、前縁３ａと後縁３ｂとを結んだ弦線である。点Ｐｆ５は、負圧面（断面線）が弦線から最も離れる点であり、最大反り位置を示す。ここで、点Ｐｆ５は、弦線に対して回転方向（図３の矢印７の方向）の反対側にある。このように、点Ｐｆ５が弦線に対して回転方向の反対側にあることを、各翼３が回転方向に凹状になる反りを有すると言う。
【００１５】
次に、ベルマウス６の形状を説明する。
図２に示すように、ファン４側を向いたベルマウス６の面において、点Ｐｂ２から点Ｐｂ３の間が内径が最も小さい径最小部６ａとなる。径最小部６ａの上方側の端点である点Ｐｂ３は、翼の外周縁の下方寄りに位置する。
点Ｐｂ３から点Ｐｂ３の上方に位置する点Ｐｂ４にかけては、径最小部６ａから上方へ向かって内径が拡大する第１拡大部６ｂである。第１拡大部６ｂは、ベルマウス６の外側（図２においてファン４の逆側）に曲率半径の中心があり、ファン４側が凸状に湾曲した第１曲面（図２に示す断面図では曲線）で形成される。
点Ｐｂ４から点Ｐｂ４の上方に位置する点Ｐｂ５にかけては、さらに上方へ向かって内径が拡大する第２拡大部６ｃである。第２拡大部６ｃは、ベルマウス６の内側（図２においてファン４側）に曲率半径の中心があり、ファン４側が凹状に湾曲した第２曲面（図２に示す断面図では曲線）で形成される。
点Ｐｂ５から上方は、ベルマウス端部を越える空気の剥離を抑制するために、曲面状に形成される。
径最小部６ａの下方側の端点Ｐｂ２から点Ｐｂ２の下方に位置する点Ｐｂ１にかけては、内径が拡大する。そして、ベルマウス６は、点Ｐｂ１で吸い込み側の空間と吐き出し側の空間とを隔離するバッフル板に繋がっている。
【００１６】
なお、第２拡大部６ｃの第１拡大部６ｂ寄りの部分は、第２拡大部６ｃの上方寄りの部分よりも、第２曲面の曲率半径が小さい。特に、第２拡大部６ｃの上方寄りの部分は、ほぼ円錐面状（図２に示す断面図では直線状）に形成される。また、第１拡大部６ｂの曲率半径は、第２拡大部６ｃの第１拡大部６ｂ寄りの部分曲率半径よりも小さい。
また、第２拡大部６ｃの下方側の端点Ｐｂ４は、図２に示す外周縁３ｄの二等分点Ｐｆ４よりも回転軸方向下方に位置する。また、第２拡大部６ｃの上方側の端点Ｐｂ５は、図２に示す接合縁３ｃの二等分点Ｐｆ３よりも回転軸方向上方に位置する。なお、図２に示す外周縁３ｄの二等分点Ｐｆ４は、翼３を回転軸８を含む平面（図１のＡ−Ａ’断面）へ回転投影した場合における外周縁３ｄの二等分点である。同様に、図２に示す接合縁３ｃの二等分点Ｐｆ３は、翼３を回転軸８を含む平面（図１のＡ−Ａ’断面）へ回転投影した場合における接合縁３ｃの二等分点である。
【００１７】
次に、送風機１の動作について説明する。
ファンモータ５の駆動力によりファン４が回転すると、ファン４の翼３が回転する領域（以下、ファン領域と呼ぶ）内の気体が吐き出し側の空間に押し出されるとともに、吸い込み側の空間の気体がファン領域に流入する。ファン４へは、翼３の前縁３ａの回転軌跡からなる面や、翼３の外周縁３ｄの回転軌跡からなる面から気体が流入する。このようにして吸い込み側の空間から吐き出し側の空間へ向かう気流が生じる。
なお、図２において、矢印９は吸込み空間からファン領域へ流入する流れを模式的に示し、矢印１０はファン領域から吹き出し空間へ吐き出される流れを模式的に示す。
【００１８】
図４は、図１のＣ−Ｃ’断面を平面に展開し、周囲の空気の流れを模式的に示した説明図である。図１のＣ−Ｃ’は翼３の外周縁３ｄに沿った線であり、外周縁３ｄにおける翼３の半径が前縁３ａから後縁３ｂまで等しい場合は、図１のＣ−Ｃ’線は回転軸を中心とした円弧となる。なお、図４では、外周縁３ｄ付近の気体の流れの特徴的な様子を模式的に表している。
ファン４へ流入した気体の一部は、図４に示すように圧力面３ｅからファン領域の外側へ漏れて、外周縁３ｄの外側を回り込むように再びファン領域内の負圧面３ｆへ流入する。この圧力面３ｅから負圧面３ｆへ巻き込む流れを基にして、負圧面３ｆの外周縁３ｄ付近に沿う位置に翼端渦１１と呼ぶ渦構造を持つ流れが生じる。
翼端渦１１は、前縁３ａ側から後縁３ｂ側へと移行するにともない渦径が大きくなる。翼端渦１１の渦中心は前縁３ａ寄りでは負圧面の外周縁３ｄ寄りに沿った位置にあるが、流れの転向が大きくなる外周縁３ｄの最大反り位置付近にて翼の外周縁３ｄから離脱する。外周縁３ｄから離脱した翼端渦１１は渦としての構造を弱めながら、吸い込み側の空間から吐き出し側の空間への全体的な流れに押されて徐々に吐き出し側の空間へ向かい送風機１から放出される。
【００１９】
次に、回転軸方向下方寄りにおけるベルマウス６と翼３の外周縁３ｄとの位置関係について説明する。
送風機１に必要な流量を生じさせるためには、吸い込み側の空間と吐き出し側の空間との間に流量に応じた圧力差を保つ必要がある。ここで、翼３とベルマウス６との間が最も狭くなる部分は、図２に示す点Ｐｂ２から点Ｐｂ３にかけての径最小部６ａと、翼３の外周縁３ｄとの間である。なお、径最小部６ａによって囲まれる翼３の外周縁３ｄ部分は、外周縁３ｄの後縁３ｂ付近である。翼３とベルマウス６との間が最も狭くなる部分における翼３とベルマウス６との間の距離（最小隙間距離）が広すぎると、送風機１の通風抵抗が大きい場合に必要な圧力差が得られず、必要な流量が得られなくなる。そのため、ここでは最小隙間距離を狭くしている。この最小隙間距離は翼３の外径（外周縁３ｄの回転円直径）の１〜３％程度が望ましい。
【００２０】
次に、上方寄りにおけるベルマウス６と翼３の外周縁３ｄとの位置関係について説明する。
上述したように、翼３の外周縁３ｄの回転軌跡からなる面は、気流の流入面となる。広い面積から気流が流入することは、同一流量時における気流の速度が低減され、騒音を低減する効果を有する。この観点から、上方側、つまり気体の流入側におけるベルマウス６と翼３の外周縁３ｄとの距離を十分大きくすることが望ましい。
また、翼３の外周縁３ｄは、翼端渦１１が発生し、成長し、さらには離脱する場所でもある。翼端渦１１は、大きな乱れを有する流れであり、近くにベルマウス６などの壁面があると壁面上の圧力変動が大きくなり騒音要因となる。この観点からも上方側におけるベルマウス６と翼３の外周縁３ｄとの距離を十分大きくすることが望ましい。
【００２１】
特に、後傾翼を用いる場合、上方側におけるベルマウス６と翼３の外周縁３ｄとの距離を十分大きくすることが望ましい。
図５は、送風機１が備える後傾翼と、従来一般的に使われている前傾翼との特徴の違いを説明するための比較図である。図５では、翼３については、回転軸８を含む平面へ回転投影した状態を示す。
後傾翼では、ファン領域の上方寄りの位置でボス部２から外周まで翼が存在する。例えば、二点破線Ｌｆ５で示した位置において後傾翼ではハブから外周まで翼が揃う。しかし、比較対象として示した前傾翼では外周側の一部しか翼が存在しない。
つまり、翼３として後傾翼を用いる場合、前傾翼を用いる場合よりも、翼３が存在する領域の上方からファン４の昇圧作用が発生する。そのため、ファン領域の気体を押し出す作用が上方から発生し、その反作用としてファン領域へ気体を吸い込み作用も高まる。すなわち、後傾翼においては外周縁３ｄからの気体の流入を増やすことができる。しかし、外周縁３ｄにベルマウス６の面が近接していると、抵抗が大きくなり気体の流入を十分に増やすことはできない。したがって、上方側におけるベルマウス６と翼３の外周縁３ｄとの距離を十分大きくし、上方側における外周縁３ｄの周囲の空間を確保することが必要となる。
また、上方からファンの昇圧作用が行われることから、圧力面３ｅと負圧面３ｆとの圧力差が開き易く、図４を用いて説明した翼端渦１１が発生し易くなる。そのため、ベルマウス６などの壁面が近くにあるとその壁面の圧力変動も大きくなり、騒音増加の要因となる。ベルマウス６には気体の流入を均一化するという効果があるが、この効果が送風機１のとしての騒音性能に現れなくなってしまう虞がある。この観点からも上方側におけるベルマウス６と翼３の外周縁３ｄとの距離を十分大きくすることが望ましい。
【００２２】
一方、ベルマウス６を設けず、外周縁３ｄの周囲の空間を広くした場合、翼に流入する気体は、周方向において不均一なものとなり易い。回転する翼から見た場合、流入する流れが時間的に変動し騒音が大きくなる要因となる。この観点からすれば、低騒音の送風機を得るためには風路形状を周方向において均一にすることが望ましい。そのため、翼の外周縁の周りは、周方向に均一な形状となっているベルマウスで覆われていることが望ましい。
【００２３】
つまり、吸い込み側の空間と吐き出し側の空間との圧力差を保ちながら、低騒音の送風機を得るためには、ベルマウス６を設けつつ、ベルマウス６と翼３の外周縁３ｄとの間の距離を、後縁３ｂ付近では狭くし、より上方では広くして、多くの気流を流入させるようにすることが望ましい。
【００２４】
図６は、図２に従来のベルマウスの形状を付加し比較して示す説明図である。なお、図６では、従来のベルマウスの形状を破線で示す。
送風機１では、ベルマウス６は、径最小部６ａから上方へ内径を広げながらファン４側が凸状に湾曲した曲面で形成された第１拡大部６ｂと、第１拡大部６ｂに続き、上方へ径を広げながらファン４側が凹状に湾曲した曲面で形成された第２拡大部６ｃを有する。特に、第１拡大部６ｂの曲率半径は、第２拡大部６ｃの曲率半径よりも非常に小さい。そのため、従来一般的に用いられる径最小部６ａから上方にファン４側が凸状に湾曲した湾曲断面１２で上方側が拡大する形状よりも、送風機１におけるベルマウス６の方が、翼３の外周縁３ｄを囲みつつ、翼３の外周縁３ｄとの間の距離を大きくできる。
特に、送風機１では、後傾翼と上述した形状のベルマウス６とを合せて備える。そのため、翼３の外周縁３ｄから多くの気体を取り込むことができる。また、翼端渦１１の乱れに起因するベルマウス６の圧力変動を抑制することができる。さらに、翼３の外周縁３ｄ周囲の風路を周方向に均一化でき、翼３へ流入する気体の変動を抑制することが可能となり、送風機１としての騒音を小さくすることができる。
また、送風機１では、ベルマウス６は、第２拡大部６ｃの回転軸方向上方から径最小部６ａの上方側端部Ｐｂ３までを滑らかに続く曲面形状である。そのため、気流の乱れを抑制する効果が高く、騒音を効率よく低減することができる。
【００２５】
また、第２拡大部６ｃは、第１拡大部６ｂ寄りの曲率半径が小さく、より上方の曲率半径が大きい。特に、第２拡大部６ｃは、上方部分では概ね円錐断面となっている。そのため、第２拡大部６ｃの回転軸方向上方で翼３の外周縁３ｄとベルマウス６との間の空間を広く取ることができる。したがって、多くの気体を翼３の外周縁３ｄとベルマウス６との間の空間へ導くことができる。
【００２６】
さらに、第２拡大部６ｃの上方はベルマウス端部を越える空気の剥離を抑制するために曲面状に形成されている。そのため、ベルマウス６の上方側端部から流入する気体を乱れの小さい流れとして翼３へ導くことができる。その結果、騒音を低減することができる。
【００２７】
翼３を回転軸８を含む平面へ回転投影した場合における外周縁３ｄの二等分点Ｐｆ４（図２参照）付近は、翼端渦１１が大きくなり、翼端渦１１が負圧面３ｆから離脱する場所である。そのため、翼端渦１１の変動が大きくなり、翼端渦１１によるベルマウス６の壁面上の圧力変動への影響が大きくなる。
送風機１では、ベルマウス６の第１拡大部６ｂから第２拡大部６ｃへの移行部である点Ｐｂ４が、外周縁３ｄの二等分点Ｐｆ４よりも回転軸方向下方に位置する。つまり、回転軸方向において、外周縁３ｄの二等分点Ｐｆ４は、第２拡大部６ｃの範囲に位置する。そのため、外周縁３ｄの二等分点Ｐｆ４付近における翼３の外周縁３ｄとベルマウス６との間の距離が大きい。したがって、ベルマウス６の壁面上の圧力変動を抑制することができる。
【００２８】
また、外周縁３ｄの二等分点Ｐｆ４付近における翼３の外周縁３ｄとベルマウス６との間の距離が大きいため、翼端渦１１が離脱する時に周囲の気流の乱れが小さく、翼端渦１１の乱れも小さなものとなる。その結果、外周縁３ｄ付近から離脱した翼端渦１１に起因する騒音も抑制することができる。
【００２９】
翼３を回転軸８を含む平面へ回転投影した場合における接合縁３ｃの二等分点Ｐｆ３（図２参照）付近は、接合縁３ｃにおける反りが最大になる位置である。そのため、接合縁３ｃの二等分点Ｐｆ３付近は、気流の転向による昇圧作用が大きくなり始める位置であり、負圧面３ｆにおける圧力低下が大きくなり始める位置である。
また、回転軸方向において、接合縁３ｃの二等分点Ｐｆ３から外周縁３ｄの二等分点Ｐｆ４にかけて、外周縁３ｄの回転軌跡が作る面からファン領域への気体の流入速度が速くなる。
送風機１では、ベルマウス６の第２拡大部６ｃの下方側の端点Ｐｂ４が、外周縁３ｄの二等分点Ｐｆ４よりも回転軸方向下方に位置する。また、ベルマウス６の第２拡大部６ｃの上方側の端点Ｐｂ５が、接合縁３ｃの二等分点Ｐｆ３よりも回転軸方向上方に位置する。そのため、接合縁３ｃの二等分点Ｐｆ３から外周縁３ｄの二等分点Ｐｆ４までの範囲における外周縁３ｄの周囲をベルマウス６で囲むとともに、外周縁３ｄとベルマウス６との間に十分に広い空間を確保できる。したがって、外周縁３ｄの回転軌跡が作る面からファン領域への気体の流入を妨げずに乱れを低減することができる。その結果、ファン領域へ流入する空気の乱れに起因する騒音を低減することができる。
【００３０】
なお、送風機１は、空気調和機の室外機やヒートポンプ式給湯機の室外機等、圧縮機と、第１熱交換器と、膨張弁と、第２熱交換器とが配管によって接続された冷媒回路を備えるヒートポンプ装置に利用することができる。つまり、例えば、第１熱交換器が気体と冷媒とを熱交換させる熱交換器である場合に、送風機１を第１熱交換器へ風を送るように利用することができる。
また、送風機１は、ヒートポンプ装置に限らず、その他、送風機が設置される各種の装置（例えば、換気扇）や設備などに広く利用することができる。
【符号の説明】
【００３１】
１  送風機、２  ボス部、３  翼、３ａ  前縁、３ｂ  後縁、３ｃ  接合縁、３ｄ  外周縁、３ｅ  圧力面、３ｆ  負圧面、４  ファン、５  ファンモータ、６  ベルマウス、６ａ  径最小部、６ｂ  第１拡大部、６ｃ  第２拡大部、７  ファンの回転方向、８  回転軸、９  吸込み空間からファン領域へ流入する流れ、１０  ファン領域から吹き出し空間へ吐き出される流れ、１１  翼端渦、１２  従来のベルマウスの湾曲断面。
【図１】
2011185236.tif 000003
【図２】
2011185236.tif 000004
【図３】
2011185236.tif 000005
【図４】
2011185236.tif 000006
【図５】
2011185236.tif 000007
【図６】
2011185236.tif 000008